【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
相互にレベルの異なる第１電圧と第２電圧を入力する第１電圧端子及び第２電圧端子と、
クロック入力端子と、
前記クロック入力端子に供給されるクロック信号に基づいて順次第１乃至第３状態を繰返し採るタイミング信号を生成するタイミング発生部と、
前記タイミング信号の第１状態においてチャージポンプ用コンデンサの第１蓄積電極端子を前記第１電圧端子に、第２蓄積電極端子を前記第２電圧端子に導通させ、前記タイミング信号の第２状態においてチャージポンプ用コンデンサの前記第１及び第２蓄積電極端子を高インピーダンス状態とし、前記タイミング信号の第３状態においてチャージポンプ用コンデンサの第１蓄積電極端子を前記第２電圧端子に、前記第２蓄積電極端子を平滑コンデンサ接続端子に導通させるスイッチ部とを含み、
前記平滑コンデンサ接続端子には、前記第２電圧を基準に前記第１電圧とは逆極性の第３電圧が形成されるものであることを特徴とする半導体集積回路。
【請求項２】
前記スイッチ部は、前記チャージポンプ用コンデンサの第１蓄積電極端子を前記第１電圧端子に接続する第１スイッチと、チャージポンプ用コンデンサの第２蓄積電極端子を前記第２電圧端子に導通させる第２スイッチと、前記チャージポンプ用コンデンサの第１蓄積電極端子を前記第２電圧端子に接続する第３スイッチと、前記第２蓄積電極端子を平滑コンデンサ接続端子に導通させる第４スイッチとを含み、
前記第１状態において前記第１及び第２スイッチがオン状態にされ且つ第３及び第４スイッチがオフ状態にされ、
前記第２状態において第１乃至第４スイッチがオフ状態にされ、
前記第３状態において前記第１及び第２スイッチがオフ状態にされ且つ前記第３及び第４スイッチがオン状態にされるものであることを特徴とする請求項１記載の半導体集積回路。
【請求項３】
前記第１乃至第４スイッチは夫々ＣＭＯＳトランスファゲートであり、前記第１乃至第４スイッチを構成するＣＭＯＳトランスファゲートのｐチャンネル型ＭＯＳトランジスタは前記第１電圧端子に接続されたｎ型半導体領域に形成され、前記第１乃至第４スイッチを構成する前記ＣＭＯＳトランスファゲートのｎチャンネル型ＭＯＳトランジスタは、前記平滑コンデンサ接続端子に接続されると共に、ゲート電極がドレイン電極に結合されたダイオード接続ＭＯＳトランジスタを介して回路の接地端子に接続されたｐ型半導体領域に形成され、
前記スイッチ部は、前記第１電圧よりも低い第４電圧と回路の接地電圧とを動作電源として動作される入力部と、前記入力部の出力信号を、前記第１電圧と前記第２電圧との間の振幅に変換して前記第１乃至第４スイッチに供給するレベルシフト回路とを含んで成るものであることを特徴とする請求項２記載の半導体集積回路。
【請求項４】
前記第１及び第２蓄積電極端子はチャージポンプ用コンデンサが外付けされる外部接続端子であり、前記平滑コンデンサ接続端子は平滑コンデンサが外付けされる外部接続端子であることを特徴とする請求項２又は３記載の半導体集積回路。
【請求項５】
前記第１乃至第３電圧を動作電圧とし、前記クロック信号に同期して、液晶表示パネルのコモン電極接続端子に前記第１乃至第３電圧を用いたコモンドライブ信号を出力する駆動回路を更に含んで成るものであることを特徴とする請求項２又は３記載の半導体集積回路。
【請求項６】
複数のセグメント電極とコモン電極が配置された液晶表示パネルと、前記液晶表示パネルのコモン電極にコモンドライバとして接続された請求項５記載の半導体集積回路と、前記液晶表示パネルのセグメント電極に接続され表示信号に従った駆動信号をセグメント電極に出力するセグメントドライバと、前記半導体集積回路に前記第１及び第２電圧を供給する電源回路とを、回路基板に実装して成るものであることを特徴とする液晶表示装置。
【請求項７】
相互にレベルの異なる第1電圧と第２電圧を入力する第１電
圧端子及び第２電圧端子と、
クロック入力端子と、
前記クロック入力端子に供給されるクロック信号に基づいて順次第１乃至第３状態を繰返し採るタイミング信号を生成するタイミング発生部と、
チャージポンプ用コンデンサと、
平滑コンデンサと、
前記タイミング信号の第１状態において前記チャージポンプ用コンデンサの第１蓄積電極端子を前記第１電圧端子に、第２蓄積電極端子を前記第２電圧端子に導通させ、前記タイミング信号の第２状態においてチャージポンプ用コンデンサの前記第１及び第２蓄積電極端子を高インピーダンス状態とし、前記タイミング信号の第３状態においてチャージポンプ用コンデンサの第１蓄積電極端子を前記第２電圧端子に、前記第２蓄積電極端子を平滑コンデンサの接続端子に導通させるスイッチ部とを含み、
前記平滑コンデンサ接続端子には、前記第２電圧を基準に前記第１電圧とは極性の異なる第３電圧を形成するものであることを特徴とする逆極性電圧生成回路。
【請求項８】
第１極性の第１電位を受ける第１端子と、
前記第１電位と異なる第２電位を受ける第２端子と、
第１キャパシタの一端と接続される第３端子と、
前記第１キャパシタの他端と接続される第４端子と、
一端が基準電位と接続される第２キャパシタの他端と接続される第５端子と、
クロック信号に基づいてタイミング信号を生成し、前記タイミング信号を出力するタイミング発生部と、
前記タイミング信号の入力を受け、前記タイミング信号より第１状態乃至第３状態を生成し、前記第１状態において前記第１端子と前記第３端子とを導通させ、前記第２端子と前記第４端子とを導通させ、前記第２状態において前記第１端子と前記第２端子とを高インピーダンス状態とし、前記第３状態において前記第２端子と前記第３端子とを導通させ、前記第４端子と前記第５端子とを導通させるスイッチ部とを有し、
前記第３状態において前記第５端子より第２極性の第３電位を出力する半導体集積回路。
【請求項９】
請求項８において、
前記スイッチ部は、前記第１端子と前記第３端子と接続する第１スイッチと、前記第２端子と前記第４端子とを接続する第２スイッチと、前記第２端子と前記第３端子とを接続する第３スイッチと、前記第４端子と前記第５端子とを接続する第４スイッチとを有し、
前記第１状態において、前記第１スイッチと前記第２スイッチとはオンとされ、前記第３スイッチと前記第４スイッチとはオフとされ、
前記第２状態において、前記第１スイッチ乃至前記第４スイッチはオフとされ、
前記第３状態において、前記第１スイッチと前記第２スイッチはオフとされ、前記第３スイッチと前記第４スイッチとはオンとされる半導体集積回路。
【請求項１０】
請求項８または請求項９において、
前記タイミング信号は、それぞれ第１及び第２レベルを有する第１タイミング信号と第２タイミング信号とからなり、
前記スイッチ部は、
前記第１タイミング信号が前記第１レベルであり、前記第２タイミング信号が前記第２レベルであることにより前記第１状態を生成し、
前記第１タイミング信号と前記第２タイミング信号とが第２レベルであることにより前記第２状態を生成し、
前記第１タイミング信号が前記第２レベルであり、前記第２タイミング信号が前記第１レベルであることにより前記第３状態を生成する半導体集積回路。
【請求項１１】
請求項８乃至請求項１０の何れか１項において、
前記第１極性は正極性であり、前記第２極性は負極性である半導体集積回路。
【請求項１２】
請求項８乃至請求項１１の何れか１項に記載の半導体集積回路と、
液晶パネルのコモン電極を駆動するコモンドライバとを有し、
前記コモンドライバは、前記第１電位及び第３電位を用いて前記コモン電極を駆動する液晶表示装置。